【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
光ディスクに対して情報の記録または再生を行う光ディスク装置であって、
レーザ光を集光するレンズ部と、
前記対物レンズを駆動する駆動部と、
前記光ディスクからの反射光を受光する受光部と、
球面収差を補正する球面収差補正部と、
前記球面収差の補正量を取得する取得部と、を備え、
装着された光ディスクが、未記録又は追記録可能な記録層である第１の層を少なくとも１層備え、かつ、一部分でも既に記録された箇所のある記録層もしくは再生専用層である第２の層を少なくとも一層備える光ディスクである場合、前記取得部は、前記第２の層の球面収差補正量は、前記第２の層からの反射光に基づいて取得し、前記第１の層の球面収差補正量は前記第２の層の球面収差補正量に基づいて取得することを特徴とする光ディスク装置。
【請求項２】
請求項１に記載の光ディスク装置であって、
前記取得部は、前記第２の層で調整した球面収差補正量に対し、規格で定められた層間距離を基に前記前記第１の層の球面収差補正量を計算して取得することを特徴とする光ディスク装置。
【請求項３】
請求項１に記載の光ディスク装置であって、
前記第２の層の球面収差補正量に基づいて得られる前記第１の層の球面収差補正量を初期補正量とし、
前記取得部は、前記第１の層にデータが記録されていない場合には、前記第１の層に前記初期補正量を前記球面収差補正量として試し書き領域にデータを記録し、当該試し書き領域からの反射光に基づいて前記第１の球面収差補正量を取得することを特徴とする光ディスク装置。
【請求項４】
請求項１に記載の光ディスク装置であって、
前記第１の層の球面収差の補正量と前記第２の層の球面収差の補正量とを、球面収差補正の初期補正量とすることを特徴とする光ディスク装置。
【請求項５】
請求項１に記載の光ディスク装置であって、
前記取得部は、前記第２の層における再生信号の振幅またはジッターまたはエラーレートのいずれか１以上の指標に基づいて、前記第２の層の球面収差補正量を取得することを特徴とする光ディスク装置。
【請求項６】
請求項１に記載の光ディスク装置であって、
前記第２の層の球面収差補正量に基づいて得られる前記第１の層の球面収差補正量を初期補正量とし、
前記取得部は、前記第１の層にデータが記録されている場合には、前記球面収差補正量を前記初期補正量として得られる前記第２の層からの反射光に基づいて、前記第１の層の球面収差補正量を取得することを特徴とする光ディスク装置。
【請求項７】
光ディスクに対して情報の記録または再生を行う光ディスク装置であって、
レーザ光を集光する対物レンズと、
前記対物レンズを駆動する駆動部と、
前記光ディスクからの反射光を受光する受光部と、
チルトを補正するチルト補正部と、
前記チルトの補正量を取得する取得部と、を備え、
前記光ディスクが一部分でも既に記録された箇所のある追記録可能な記録層である第１の層を少なくとも１層備え、かつ再生専用層あるいは全面記録済みの記録層である第２の層を少なくとも１層備える光ディスクである場合、前記取得部は、前記第２の層のチルト補正量は、前記第２の層からの反射光に基づいて取得し、前記第１の層のチルト補正量は、前記第２の層のチルト補正量に基づいて取得することを特徴とする光ディスク装置。
【請求項８】
請求項７に記載の光ディスク装置であって、
前記取得部は、前記第１の層で情報が既に情報が記録された半径位置での反射光に基づいて取得されるチルト補正量と前記第２の層での当該半径位置での反射光に基づいて取得されるチルト補正量との比と、前記第２の層での他の半径位置におけるチルト補正量とに基づいて、前記第１の層のチルト補正量を取得することを特徴とする光ディスク装置。
【請求項９】
請求項７に記載の光ディスク装置であって、
前記取得部は、前記反射光に基づいて得られる再生信号の振幅またはジッターまたはエラーレートのいずれか１以上の指標に基づいて前記第２の層のチルト補正量を取得することを特徴とする光ディスク装置。
【請求項１０】
光ディスクに対して情報の記録または再生を行う光ディスク装置であって、
レーザ光を集光するレンズ部と、
前記対物レンズを駆動する駆動部と、
前記光ディスクからの反射光を受光する受光部と、
球面収差を補正する球面収差補正部と、
チルトを補正するチルト補正部と、
前記球面収差の補正量と前記チルトの補正量を取得する取得部と、を備え、
前記光ディスクが未記録又は追記録可能な記録層である第１の層を少なくとも一層備え、かつ再生専用層あるいは全面記録済みの記録層である第２の記録層を少なくとも一層備える光ディスクである場合、
前記取得部は、前記第２の層のチルト補正量及び球面収差補正量は、前記第２の層からの反射光に基づいて取得し、前記第１の層のチルト補正量は前記第２の層のチルト補正量に基づいて取得し、前記第１の層の球面収差補正量は、前記第２の層の球面収差補正量に基づいて取得することを特徴とする光ディスク装置。
【請求項１１】
前記請求項１０に記載の光ディスク装置であって、
前記第２の球面収差補正量に基づいて取得される前記第１の層の球面収差補正量を初期補正量とし、
前記取得部は、前記第１の層にて記録されている領域がない場合は、前記初期補正量を前記球面収差補正部の補正量し、前記第１の層の試し書き領域にデータ記録し、前記第１の試し書き領域から得られる反射光に基づいて前記第１の層の球面収差補正量を取得することを特徴とする光ディスク装置。
【請求項１２】
前記請求項１０に記載の光ディスク装置であって、
前記取得部は、前記第２の層における複数の半径位置にて反射光に基づいて取得されるチルト補正量と、前記第１の層における記録済み領域の反射光に基づいて得られるチルト補正量とから、前記第１の層における他の半径位置におけるチルト補正量を取得することを特徴とする光ディスク装置。
【請求項１３】
前記請求項１０に記載の光ディスク装置であって、
前記光ディスクが前記第２の層を複数備える場合には、ディスク挿入時の調整シーケンス時に、前記複数の層を基準層として設定し、
前記取得部は、前記第１の層のチルト補正量を取得するときには、前記基準層のうち前記第１の層との層間距離が最も小さい基準層における球面収差補正量およびチルト補正量に基づいて、前記第１の層のチルト補正量を取得することを特徴とする光ディスク装置。
【請求項１４】
請求項１０に記載の光ディスク装置であって、
前記取得部は、前記第２の層からの反射光から得られる再生信号の振幅またはジッターやエラーレートにいずれか１以上の指標に基づいて前記第２の層の再生データを最適化する球面収差補正量を取得することを特徴とする光ディスク装置。
【請求項１５】
前記請求項１０に記載の光ディスク装置であって、
前記第２の球面収差補正量に基づいて取得される前記第１の層の球面収差補正量を初期補正量とし、
前記取得部は、前記第１の層にて記録されている領域がある場合は、前記初期補正量を前記球面収差補正部の補正量することによって前記第１の層から得られる反射光に基づいて前記第１の層の球面収差補正量を取得することを特徴とする光ディスク装置。
【請求項１６】
前記請求項１０に記載の光ディスク装置であって、
前記取得部は、それぞれの記録層において、先に球面収差補正量を取得した後に、チルト補正量を取得することを特徴とする光ディスク装置。